(57)【要約】      （修正有）【課題】液体が外部に漏れる可能性のある物品から，液体が漏れるのを防止しつつ嵩張らずに収容出来，様々な形状のトレイに変形可能な携帯用吸収性収容材を提供する。【解決手段】携帯用収容材は，液体を吸収する吸収部と，吸収部の周縁部に配置された複数の接着部とを含み，各接着部が他のいずれの接着部とも係合可能とされているため，吸収部を折り曲げた場合には，外部への液体漏れがないように物品を内包し，吸収部を折り曲げない場合には，接着部同士の相係合する部分を変化させることで，様々な形状のトレイに変化することを特徴とする。【選択図】図１
0003144693.tif 000002
【実用新案登録請求の範囲】
【請求項１】
液体を吸収する吸収部と，
前記吸収部の周縁部に配置された複数の接着部と，
を含み，前記各接着部が他のいずれの前記接着部とも係合可能とされているため，前記吸収部を折り曲げた場合には，外部への液体漏れがないように物品を内包し，前記吸収部を折り曲げない場合には，前記接着部同士の相係合する部分を変化させることで，様々な形状のトレイに変化することを特徴とする，携帯用吸収性収容材。
【請求項２】
防水用素材からなる防水部と，
前記防水部の周縁部に配置された複数の接着部と，
を含み，前記各接着部が他のいずれの前記接着部とも係合可能とされているため，前記防水部を折り曲げた場合には，外部から液体が侵入しないように物品を内包し，前記防水部を折り曲げない場合には，前記接着部同士の相係合する部分を変化させることで，様々な形状のトレイに変化することを特徴とする，携帯用防水性収容材。
【請求項３】
前記接着部が配置されていない防水部の中心部に，さらに吸収性収容材を脱着可能に載置しており，前記吸収性収容材は，
液体を吸収する吸収部と，
前記吸収部の周縁部に配置された複数の接着部と，
を含み，前記各接着部が他のいずれの前記接着部とも係合可能とされているため，前記吸収部を折り曲げた場合には，外部への液体漏れがないように物品を内包し，前記吸収部を折り曲げない場合には，前記接着部同士の相係合する部分を変化させることで，様々な形状のトレイに変化することを特徴とする，請求項２に記載の携帯用防水性収容材。
【請求項４】
前記接着部がフック及びルーフの双方の機能を備えた面ファスナーであることを特徴とする，請求項１に記載の携帯用吸収性収容材又は請求項２又は３に記載の携帯用防水性収容材。
【考案の詳細な説明】
【技術分野】
【０００１】  本考案は，物品携帯時に，濡れた物品等を漏れなく内包し，旅行先等では様々な形状のトレイに変化することが出来る携帯用吸収性収容材に関する。また，本考案は，物品携帯時に，内部に水分等が侵入するのを防止するように物品等を内包し，旅行先等では様々な形状のトレイに変化することが出来る携帯用防水性収容材に関する。
【背景技術】
【０００２】  固形石鹸は，オリーブオイルやハチミツなど天然素材の安心感や，肌に優しくしっとりなじむ印象など，普及が進んだ液体石鹸にない魅力が見直されている。
ところで，自分が普段から使っている石鹸を旅行に持って行く場合，ビニール製等の収容材を使用していた。
しかし，濡れた石鹸をビニール等に収容すると，ビニールに直接液体が付着し，再度使用する際に，液体が手や衣服等に付着し，清潔感に欠け，不快感を生じさせていた。
また，石鹸ケースの中に石鹸を入れて，ビニール等で収容したとしても，容量がかさみ携帯性に劣っていた。使い慣れた液体状の化粧品を旅行などへ携帯する場合にも，同様の問題があった。【０００３】  さらに，物品携帯時には，外部に液体が漏れるのを防止しつつ嵩張らずに物品等を内包し，旅行先等ではトレイに変化しうる携帯用防水性収容材も存在しなかった。つまり，旅先において，物品使用後は物品の水分等を吸収し，物品使用時には簡単に取り出せ，しかも常に物品を新鮮に使用することが出来るトレイに変形可能な携帯用吸収性収容材は存在しなかった。
また，物品携帯時には，内部に水分等が侵入するのを防止しつつ嵩張らずに物品等を内包し，旅行先等ではトレイに変化しうる携帯用防水性収容材も存在しなかった。さらに，部屋の雰囲気に合わせてトレイの形状を自由に変化させることが出来るインテリア性に優れた携帯用吸収性収容材や携帯用防水性収容材も存在しなかった。
【考案の開示】
【考案が解決しようとする課題】
【０００４】  本考案は，上記述べた従来技術の問題点に鑑みてなされたもので，石鹸，濡れた衣類等の水分等の液体が付着する，または化粧品等の液体が外部に漏れる可能性のある物品を携帯する際，液体が漏れるのを防止しつつ嵩張らずに内包し，旅先等では様々な形状のトレイに変形することが出来るインテリア性に優れた携帯用吸収性収容材を提供することを目的とする。さらに，本考案は，物品を携帯する際，内部に水分等が侵入するのを防止しつつ嵩張らずに物品等を内包し，旅行先等では様々な形状のトレイに変化することが出来るインテリア性に優れた携帯用防水性収容材を提供することも目的とする。
【課題を解決するための手段】
【０００５】  上記目的を達成するために，本考案に係る携帯用吸収性収容材は，液体を吸収する吸収部と，前記吸収部の周縁部に配置された複数の接着部とを含み，前記各接着部が他のいずれの前記接着部とも係合可能とされているため，前記吸収部を折り曲げた場合には，外部への液体漏れがないように物品を内包し，前記吸収部を折り曲げない場合には，前記接着部同士の相係合する部分を変化させることで，様々な形状のトレイに変化することを特徴とする。【０００６】  また，本考案に係る携帯用防水性収容材は，防水用素材からなる防水部と，前記防水部の周縁部に配置された複数の接着部とを含み，前記各接着部が他のいずれの前記接着部とも係合可能とされているため，前記防水部を折り曲げた場合には，外部から液体が侵入しないように物品を内包し，前記防水部を折り曲げない場合には，前記接着部同士の相係合する部分を変化させることで，様々な形状のトレイに変化することを特徴とする。【０００７】  また，本考案に係る携帯用防水性収容材は，前記接着部が配置されていない防水部の中心部に，さらに吸収性収容材を脱着可能に載置しており，前記吸収性収容材は，液体を吸収する吸収部と，前記吸収部の周縁部に配置された複数の接着部とを含み，前記各接着部が他のいずれの前記接着部とも係合可能とされているため，前記吸収部を折り曲げた場合には，外部への液体漏れがないように物品を内包し，前記吸収部を折り曲げない場合には，前記接着部同士の相係合する部分を変化させることで，様々な形状のトレイに変化することを特徴とする。【０００８】  また，本考案に係る携帯用吸収性収容材及び携帯用防水性収容材は，さらに前記接着部がフック及びルーフの双方の機能を備えた面ファスナーであることを特徴とする。
【考案の効果】
【０００９】  本考案の携帯用吸収性収容材は，旅行中などの物品携帯時には，物品に付着した水分を吸収しつつ，物品をほぼ隙間なく内包することが出来る。従って，水分等の液体が付着する物品等から，液体が漏れるのを防止し，さらに嵩張らずに物品を携帯することが出来る。【００１０】  さらに，本考案の携帯用吸収性収容材は，旅行先等では，接着部の相係合する部分を自由に変化させて様々な形状のトレイに変形出来る。従って，本考案によれば，旅先において，物品使用後は物品の水分等を吸収し，物品使用時には簡単に取り出せ，しかも常に物品を新鮮に使用することが出来る，インテリア性に優れたトレイが実現可能となる。【００１１】  また，本考案の携帯用防水性吸収材によれば，物品を携帯する際，内部に水分等が侵入するのを防止しつつ嵩張らずに物品等を内包し，旅行先等ではインテリア性に優れた様々な形状のトレイに変化させることが実現可能となる。【００１２】  さらに，本考案の携帯用防水性収容材によれば，防水部の中心部に携帯用吸収性収容材を脱着可能に載置し得るので，石鹸を内包した状態で洗面所，風呂場等に置いたとしても，内部に水分が侵入するのを防止することができる。つまり，外部から水分が侵入する可能性のある場所においても，石鹸を毎回新鮮な状態で使用することが出来る。
【考案を実施するための最良の形態】
【００１３】  図１は，本考案の第１の実施形態として携帯用吸収性収容材を示す平面図である。１は，青果物保存用シート等の吸収部であり，石鹸に付着した水分や，化粧品から漏れた液体等を吸収する。２〜４，２’〜４’は，フック及びルーフの両方の機能を備えた面ファスナー等からなる接着部である。いずれの接着部も，フック及びルーフの両方の機能を備えているので，各接着部は他の接着部のいずれとも係合可能である。【００１４】  第１の実施の形態の形態に係る携帯用吸収性収容材に石鹸等を収容するには，吸収部１に石鹸を置き，折曲線５に沿って携帯用吸収性収容材を折り曲げて，接着部２と２’，３と３’，４と４’とを係合させる。接着部２と２’，３と３’，４と４’は，それぞれ強力に係合しているので，物品携帯時に物品が外部に出てしまうことはない。また，吸収性素材は，物品の形状に合わせてその形状を変化させて，物品を隙間なく内包し得することが出来る。【００１５】  図２（ａ）は，第１の実施の形態において，各接着部を係合させて石鹸を嵩張らずに内包した状態を上方から見た図を示している。また，図２（ｂ）は同状態の側面図を示している。本考案の携帯用吸収性収容材は，石鹸をほぼ隙間なく内包するため，石鹸ケースを使用する場合のように，容量がかさむことはない。【００１６】  図３は，第１の実施の形態において，本考案の携帯用吸収性収容材をトレイ状に変化させた側面図を示している。図３では，接着部２の一端ａと接着部３の一端ａ’，接着部３’の一端ｂと接着部２’の一端ｂ’，接着部２’の一端ｃと接着部４’の一端ｃ’，接着部４の一端ｄと接着部２の一端ｄ’とを係合させている。このように隣り合う接着部の端同士を係合することで，容易にトレイ状に変形することが出来る。従って，旅行先では，このトレイに石鹸等をいつでも取り出せるように，さらには石鹸等使用後はその水分等を吸収し常に新鮮な状態で使用することが出来るように石鹸等を収容し得る。【００１７】  図４は，本考案の第２の実施の形態として携帯用防水性収容材を示す平面図である。図４において，１〜５，２’〜４’，ａ〜ｄ，ａ’〜ｄ’は図１と同じである。１０はナイロン等の防水用素材からなる防水部であり，防水部１０の周縁部には，フック及びルーフの両方の機能を備えた面ファスナー等からなる接着部７〜９，７’〜９’が配置されている。つまり，第２の実施の形態の携帯用防水性収容材は，防水部１０の中心部に第１の実施の形態に係る携帯用吸収性収容材を載置している。そして，防水部１０はテープ又はボタン等で吸収部１に脱着可能に結合されている。【００１８】  第２の実施の形態における物品収容時の各接着部の係合状態は第１の実施の形態と同様である。また，トレイへの変形は，接着部７の一端ｘと接着部８の一端ｘ’，接着部８’の一端ｙと接着部７’の一端ｙ’，接着部７’の一端ｚと接着部９’の一端ｚ，接着部９の一端ｗ’と接着部７の一端ｗとを係合させて行う。【００１９】  第２の実施の形態では，防水部１０が吸収部１を外部から覆っているため，物品内包時に，吸収部１に外部から水分が侵入するのを防止することが出来る。従って石鹸を内包した状態で，携帯用収容材を洗面所，風呂場等に置いたとして���，水分が内部に侵入するのを防止することができる。従って，外部から水分が侵入する可能性がある場所においても，石鹸を毎回新鮮な状態で使用することが出来る。【００２０】  また，防水部１０は，吸収部１と脱着可能に結合されるので，吸収部１が古くなった場合，新しい吸収部１に容易に取り替えることが出来る。
さらに，第２の実施の形態では吸収部１を防水部１０に結合せず，防水部１０だけでも，携帯用防水性収容材として使用することが出来る。【００２１】  本考案の収容材は，上記実施の形態に限定されることなく，本考案の目的の範囲内で自由に設計変更し得るものであり，本考案はそれらの全てを包摂するものである。たとえば，第１の実施の形態では，吸収部１は長方形の形状をしているが，円状，楕円状，マユ型等にすることも出来る。【００２２】  図５は，第１の実施の形態において，吸収部１をマユ形にした変形例を示している。この変形例では，吸収部１の円周部に２種類の大きさの合計１４個の接着部を配置されている。【００２３】  図６（ａ）は，図５の変形例において，物品を内包した状態を上方から見た図を示している。図６（ｂ）は，同状態の側面図を示している。
図７は，図５の変形例に係る携帯用吸収性収容材において，トレイに変形した場合の側面図を示している。これらの図からも明らかなように，本考案の携帯用収容材は，インテリア性に優れた様々な形状のトレイに変形することが出来る。【００２４】  また，本考案の携帯用吸収性収容材に収容し得る物品は石鹸・化粧品に限定されず，例えば，液体が漏れる可能性のあるものであればどのようなものでも構わない。
【図面の簡単な説明】
【００２５】
【図１】  本考案の第１の実施の形態に係る携帯用吸収性収容材を示す平面図である。
【図２】  本考案の第１の実施の形態において，石鹸を収容した状態を示す説明図であり，図２（ａ）は，上方から見た図，図２（ｂ）は，側面図である。
【図３】  本考案の第１の実施の形態において，トレイ状に変形した状態を示す側面図である。
【図４】  本考案の第２の実施の形態に係る携帯用防水性収容材を示す平面図である。
【図５】  本考案の第１の実施の形態に係る携帯用吸収性収容材の一変形例を示す平面図である。
【図６】  図５の変形例において，石鹸を収容した状態を示す説明図であり，図２（ａ）は，上方から見た図，図２（ｂ）は，側面図である。
【図７】  図５の変形例において，トレイ状に変形した状態を示す側面図である。
【符号の説明】
１  吸収部
２〜４，２’〜４’  接着部
５  折曲線
６  石鹸
７〜９，７’〜９’  接着部
１０  防水部
ａ〜ｄ，ａ’〜ｄ’，ｘ〜ｗ，ｘ〜ｗ’  係合部
【図１】
0003144693.tif 000003
【図２】
0003144693.tif 000004
【図３】
0003144693.tif 000005
【図４】
0003144693.tif 000006
【図５】
0003144693.tif 000007
【図６】
0003144693.tif 000008
【図７】
0003144693.tif 000009